(57)【要約】【課題】構成が簡易であり、大小幅広いサイズの棒状文具を保持することができるとともに、容易に製造することができる文具ホルダを提供する。【解決手段】磁石３を吸着可能な筆記板にマーカーペンおよび指示具を含む棒状文具Ｐを固定するための文具ホルダ１であって、棒状文具Ｐを保持する筒状部４を有する保持部２と、保持部２と一体に設けられた磁石３とを備えている。保持部２の筒状部４は、軸線方向の全長にわたってスリット４１が設けられた横断面略Ｃ形状に形成され、棒状文具Ｐの挿入により拡開され、当該拡開による弾性力により棒状文具Ｐを保持するように構成されている。【選択図】図２
2010167654.tif 000002
【特許請求の範囲】
【請求項１】
磁石を吸着可能な筆記板にマーカーペンおよび指示具を含む棒状文具を固定するための文具ホルダであって、
前記棒状文具を保持する筒状部分を有する保持部と、
前記保持部と一体に設けられた磁石とを備え、
前記保持部の筒状部分は、軸線方向の全長にわたって切れ目が設けられた横断面略Ｃ形状に形成され、前記棒状文具の挿入により拡開され、当該拡開による弾性力により前記棒状文具を保持するように構成されたことを特徴とする文具ホルダ。
【請求項２】
前記筒状部分は、前記切れ目を通る径方向につぶれた形状をしていることを特徴とする請求項１に記載の文具ホルダ。
【請求項３】
前記筒状部分の内面に、前記軸線方向に延びる突条部が複数設けられたことを特徴とする請求項１または請求項２に記載の文具ホルダ。
【請求項４】
前記突条部は、少なくとも前記切れ目を形成する両縁部に設けられたことを特徴とする請求項３に記載の文具ホルダ。
【発明の詳細な説明】
【技術分野】
【０００１】
本発明は、磁石を吸着可能な筆記板にマーカーペンおよび指示具を含む棒状文具を固定するための文具ホルダに関する。
【背景技術】
【０００２】
ホワイトボードにマーカーペンなどを固定するための文具ホルダとして、磁石と、マーカーペンを保持するための挿入部とを有し、挿入部の内面に複数の可撓性を有する凸部が設けられた文具ホルダが提案されている（特許文献１参照）。この文具ホルダは、マーカーペンと凸部が圧接することにより生じる摩擦力でマーカーペンを保持する。
【先行技術文献】
【特許文献】
【０００３】
【特許文献１】特開２００５−３０５７０６号公報
【発明の概要】
【発明が解決しようとする課題】
【０００４】
ところで、前記した従来の文具ホルダは、筒状の挿入部の内面に凸部が設けられた可撓性のプレートを貼着する必要があるので、構成が複雑となり、容易に製造することができないという問題がある。また、小径のマーカーペンは、凸部と十分に圧接できないので安定して保持することができないという問題もある。
【０００５】
本発明は、以上のような背景に鑑みてなされたものであり、構成が簡易であり、大小幅広いサイズの棒状文具を保持することができるとともに、容易に製造することができる文具ホルダを提供することを目的とする。
【課題を解決するための手段】
【０００６】
前記した目的を達成するため、本発明の文具ホルダは、磁石を吸着可能な筆記板にマーカーペンおよび指示具を含む棒状文具を固定するための文具ホルダであって、前記棒状文具を保持する筒状部分を有する保持部と、前記保持部と一体に設けられた磁石とを備え、前記保持部の筒状部分は、軸線方向の全長にわたって切れ目が設けられた横断面略Ｃ形状に形成され、前記棒状文具の挿入により拡開され、当該拡開による弾性力により前記棒状文具を保持するように構成されたことを特徴とする。
【０００７】
このように構成された文具ホルダによれば、保持部の筒状部分が軸線方向の全長にわたって切れ目が設けられた横断面略Ｃ形状に形成され、棒状文具の挿入により拡開され、当該拡開による弾性力により棒状文具を保持するので、構成が簡易であり、大小幅広いサイズの棒状文具を保持することができるとともに、容易に製造することができる。
【０００８】
また、前記筒状部分は、前記切れ目を通る径方向につぶれた形状としてもよい。これによれば、１つのサイズの文具ホルダで、より幅広いサイズの棒状文具を保持することが可能となる。具体的には、切れ目を通る径方向において小さいサイズの棒状文具に対応し、切れ目を通る径方向に対して略直交する径方向おいて大きいサイズの棒状文具に対応することができる。
【０００９】
また、前記筒状部分の内面に、前記軸線方向に延びる突条部を複数設けてもよい。これによれば、突条部に棒状文具を保持する力が集中するので、棒状文具を確実に保持することができる。また、筒状部分と棒状文具との接触面積が小さくなるとともに、軸線方向に延びるので、棒状文具の挿入および抜き取りを容易に行うことができる。
【００１０】
前記突条部は、少なくとも前記切れ目を形成する両縁部に設けることが望ましい。切れ目を形成する両縁部は、拡開による弾性力（棒状文具を保持する力）が特に強い部分なので、この部分に突条部を設けることで棒状文具をより確実に保持することができる。また、突条部は、筒状部分の内側に向けて突出するので、サイズの小さい棒状文具を保持することができる。
【発明の効果】
【００１１】
本発明の文具ホルダによれば、保持部の筒状部分が軸線方向の全長にわたって切れ目が設けられた横断面略Ｃ形状に形成され、棒状文具の挿入により拡開され、当該拡開による弾性力により棒状文具を保持するので、構成が簡易であり、大小幅広いサイズの棒状文具を保持することができるとともに、容易に製造することができる。
【図面の簡単な説明】
【００１２】
【図１】本発明の実施形態に係る文具ホルダの使用例を示す斜視図である。
【図２】文具ホルダを磁石保持部側から見た斜視図である。
【図３】文具ホルダをスリット側から見た斜視図である。
【図４】文具ホルダの平面図である。
【図５】文具ホルダがサイズの小さい棒状文具を保持する様子を示す平面図（ａ）と、サイズの大きい棒状文具を保持する様子を示す平面図（ｂ）である。
【図６】変形例に係る文具ホルダを磁石側から見た斜視図（ａ）と（ｂ）である。
【図７】他の変形例に係る文具ホルダをスリット側から見た斜視図（ａ）と（ｂ）である。
【図８】別の変形例に係る文具ホルダをスリット側から見た斜視図である。
【図９】別の変形例に係る文具ホルダの使用状態を示す平面図である。
【発明を実施するための形態】
【００１３】
次に、本発明の実施形態について、適宜図面を参照しながら詳細に説明する。
図１に示すように、文具ホルダ１は、磁石を吸着可能なホワイトボードや黒板などの筆記板Ｂにマーカーペンなどの棒状文具Ｐを固定するためのものである。ここで、棒状文具Ｐは、マーカーペンなどの筆記具、スライド式に伸びる指示棒やレーザポインタなどの指示具、その他棒状をなす文具などであり、文具ホルダ１に保持可能なものであれば特に限定されない。
【００１４】
図２に示すように、文具ホルダ１は、保持部２と、磁石３とを主に備えている。
保持部２は、弾性を有する樹脂から形成され、棒状文具Ｐを保持する筒状部４（筒状部分）と、磁石３を保持する磁石保持部５とを有している。
【００１５】
筒状部４は、図３に示すように、軸線方向（図３の上下方向）の全長にわたって直線状のスリット４１（切れ目）が設けられた横断面（平面視）略Ｃ形状に形成され、スリット４１を通る径方向につぶれた形状をなしている。具体的には、図４に示すように、筒状部４は、略楕円筒状に形成され、短軸方向（スリット４１を通る径方向）の寸法Ｌ１が、長軸方向（スリット４１を通る径方向に対して略直交する径方向）の寸法Ｌ２よりも小さくなっている。
【００１６】
筒状部４の内面には、軸線方向に沿って連続して延びる複数の突条部４２，４３が設けられている。突条部４２は、スリット４１を形成する筒状部４の両縁部４Ａから内側に突出するように設けられている。また、突条部４３は、短軸方向においてスリット４１と略対向する位置から内側に突出するように設けられている。
【００１７】
筒状部４の外面には、図２，３に示すように、周方向における、磁石保持部５の両側付近から筒状部４の両縁部４Ａにかけて、軸線方向の両端部４Ｂよりも低くなるように形成されたシール貼付部４４が設けられている。このシール貼付部４４には、会社名やロゴマーク、広告などを印刷したシールを貼り付けることができる。
【００１８】
磁石保持部５は、平面視略四角筒状に形成され、筒状部４の外面のうち、突条部４３の裏側となる位置から外側に向かって突出するように設けられている。この磁石保持部５の内面には、スリット４１を通る径方向において対向するように、図２の上下方向に延びる一対の突条部５１が設けられている。
【００１９】
磁石３は、直方体形状の永久磁石であり、磁石保持部５に挿入されることで、保持部２と一体に設けられている。この磁石３は、磁石保持部５の内面に設けられた一対の突条部５１に挟持されることで、磁石保持部５から抜け出ることが防止されている。なお、磁石３は、磁石保持部５に単に挿入するだけであってもよいし、磁石保持部５の内面に接着剤を塗布した後に挿入するようにしてもよい。
【００２０】
以上のように構成された本実施形態に係る文具ホルダ１の作用効果について説明する。
文具ホルダ１に棒状文具Ｐを挿入すると、両縁部４Ａが離れる方向に筒状部４が拡開される。そうすると、筒状部４は元の形状（棒状文具Ｐを保持していない状態）に戻ろうとするので、そのときの復元力（拡開による弾性力）によって棒状文具Ｐを保持する。
【００２１】
本実施形態の文具ホルダ１は、軸線方向の全長にわたってスリット４１が設けられた略Ｃ形状に形成された筒状部４と、筒状部４と一体に形成され磁石３が挿入される磁石保持部５とを備えるものなので、構成が簡易でありながら、筒状部４の拡開により大小幅広いサイズの棒状文具Ｐを保持でき、筆記板Ｂに棒状文具Ｐを固定することができる。また、構成が簡易なので、例えば、射出成形などによって保持部２を形成し、磁石保持部５に磁石３を挿入することで容易に製造することができる。
【００２２】
文具ホルダ１は、筒状部４がスリット４１を通る径方向につぶれた形状をなしているので、１つの文具ホルダ１で、より幅広いサイズの棒状文具Ｐを保持することができる。具体的には、図５（ａ）に示すように、短軸方向の寸法が小さくなっているので、サイズの小さい棒状文具ＰSを寸法が小さい部分で保持することができる。特に本実施形態では、両縁部４Ａから内側に突出する突条部４２が設けられているのでサイズの小さい棒状文具ＰSを確実に保持することができる。
【００２３】
また、図５（ｂ）に示すように、筒状部４が大きく拡開されることで、サイズの大きい棒状文具ＰLを保持することができる。本実施形態では、長軸方向の寸法が大きくなっているので、筒状部４が円筒状に形成された場合よりも、さらにサイズの大きい棒状文具ＰLを保持することが可能となっている。
【００２４】
文具ホルダ１は、筒状部４の内面に突条部４２，４３が設けられているので、突条部４２，４３に棒状文具Ｐを保持する力が集中することで、棒状文具Ｐを確実に保持することができる。特に本実施形態では、突条部４２が、拡開による弾性力が特に強い両縁部４Ａに設けられているので、棒状文具Ｐをより確実に保持することができる。
【００２５】
また、突条部４２，４３により筒状部４と棒状文具Ｐとの接触面積が小さくなるとともに、突条部４２，４３が軸線方向に沿って連続して延びているので、棒状文具Ｐの挿入および抜き取りを容易に行うことができる。
【００２６】
以上、本発明の実施形態について説明したが、本発明は前記実施形態に限定されるものではない。具体的な構成については、本発明の趣旨を逸脱しない範囲で適宜変更が可能である。
【００２７】
前記実施形態では、磁石３を磁石保持部５に挿入することで保持部２と一体に設けた構成を示したが、本発明はこれに限定されるものではない。例えば、図６（ａ）に示すように、磁石３を接着剤６などによって筒状部４に接着することで筒状部４（保持部）と一体に設ける構成としてもよいし、図６（ｂ）に示すように、保持部２の成形の際に磁石３を金型内にインサート（いわゆるインサート成形）することで一体に設ける構成としてもよい。
【００２８】
前記実施形態では、筒状部４をスリット４１を通る径方向につぶれた形状（略楕円筒状）に形成した例を示したが、本発明はこれに限定されるものではない。例えば、図６（ａ）に示すように、筒状部４を円筒状に形成してもよいし、図６（ｂ）に示すように、筒状部４を多角筒状（図６（ｂ）では平面視六角形状）に形成してもよい。また、筒状部を長円筒状に形成してもよい（図示省略）。なお、文具ホルダのサイズ（大きさ）は筆記板に固定したい棒状文具に応じて適宜変更することができる。
【００２９】
前記実施形態では、スリット４１（切れ目）が軸線方向に沿って直線状に設けられた構成を示したが、本発明はこれに限定されるものではない。例えば、図７（ａ）に示すように、スリット４１Ａが軸線方向に対して斜めとなるような直線状に設けられた構成としてもよいし、図７（ｂ）に示すように、スリット４１Ｂが軸線方向に沿って蛇行する形状を描くように設けられた構成としてもよい。
【００３０】
前記実施形態では、筒状部４の内面に軸線方向に延びる突条部４２，４３が合計３つ設けられた構成を示したが、本発明はこれに限定されず、例えば、突条部を２つ（図６（ｂ）参照）や４つ以上設ける構成としてもよい。また、突条部を設けない構成としてもよい（図７参照）。
【００３１】
前記実施形態では、文具ホルダ１（筒状部４）が棒状文具Ｐを直接保持することで棒状文具Ｐを筆記板Ｂに固定する構成を示したが、本発明はこれに限定されるものではない。例えば、図８に示す文具ホルダ１Ａは、保持部２と磁石３のほか、さらに補助保持具７を備えている。
【００３２】
補助保持具７は、樹脂や金属などから形成され、筒状部４に挿入される被保持部８と、文具などを保持する一対の保持アーム９とから構成されている。
【００３３】
被保持部８は、筒状部４の内周面に沿う形状（略楕円筒状）に形成されるとともに、スリット４１に対応する部分が軸線方向（図８の上下方向）の全長にわたって切れ目が設けられた平面視略Ｃ形状に形成されている。なお、図８に示す形態では、被保持部８の軸線方向の長さが筒状部４の長さより短く形成されているが、これに限定されず、筒状部４と同じ長さであってもよい。
【００３４】
保持アーム９は、被保持部８の両縁部から、スリット４１を通って外側に延び、さらに筒状部４の長軸方向外側に延びて長軸方向内側に湾曲する形状（略Ｊ形状）をなしている。一対の保持アーム９は、筒状部４の長軸方向に対向するように設けられ、主に先端部９Ａ付近で文具を保持可能なように構成されている。
【００３５】
このような文具ホルダ１Ａによれば、図９に示すように、筒状部４で直接保持できないクリーナＣ（筆記板Ｂに書かれた文字などを消す道具）などを保持することができ、筆記板Ｂに固定することが可能となる。一対の保持アーム９がクリーナＣを保持すると、保持アーム９が離れる方向に拡開するので筒状部４も拡開することになる。このとき、筒状部４は元の形状に戻ろうとするので、そのときの復元力によって保持アーム９がクリーナＣを強固に保持可能となっている。言い換えると、筒状部４は、補助保持具７の保持力を強化するバネとしての機能を果たしている。
【００３６】
なお、被保持部８の大きさや形状などは挿入する筒状部４に応じて適宜変更することができる。また、保持アーム９の形状や大きさなどは筆記板Ｂに固定したい部材に応じて適宜変更することができる。
【符号の説明】
【００３７】
１      文具ホルダ
２      保持部
３      磁石
４      筒状部
４Ａ    両縁部
４１    スリット
４２    突条部
４３    突条部
Ｂ      筆記板
Ｐ      棒状文具
【図１】
2010167654.tif 000003
【図２】
2010167654.tif 000004
【図３】
2010167654.tif 000005
【図４】
2010167654.tif 000006
【図５】
2010167654.tif 000007
【図６】
2010167654.tif 000008
【図７】
2010167654.tif 000009
【図８】
2010167654.tif 000010
【図９】
2010167654.tif 000011